(57)【要約】      （修正有）【課題】ハニカム構造体を縦方向に上下に積層しても、容易にスリップしたり倒れたりすることがなく、良好で強固な結合性を有する立面構造を提供する。【解決手段】複数枚のプラスチック製板材からなり、各プラスチック製板材は超音波で局部をスポット溶接したり、他の方法で接合したりして、相互に積層して伸長可能なハニカム構造体を形成する。各プラスチック製板材の立面の上下端縁に凹凸状の係止端１３を有し、縦方向に積み上げると、係止端が対応して嵌め込まれてスリップし難くすることができ、好適な高さでハニカム構造内に埋め戻し材料を埋設して、地盤の造成、斜面の防護、擁壁や植生・緑化工事に活用できる。ハニカム構造体の板材の立面は不規則なざらざらの面１２であることが好ましい。また不規則なざらざらの面の板材上に複数の貫通孔１４を設けることがさらに好ましい。【選択図】図１
0003190220.tif 000002
【実用新案登録請求の範囲】
【請求項１】
複数枚の板材を有し、各板材の間は局部を接合して相互に積層して伸長可能な蜂の巣状構造を形成し、各板材の立面の上下端縁に凹凸状の係止端を備え、ジオセルを縦方向に積み上げると、互いに上下の凹凸を係止固定できることを特徴とするジオセルの立面構造。
【請求項２】
前記ジオセルの板材の立面は不規則なざらざらの面であることを特徴とする請求項１に記載のジオセルの立面構造。
【請求項３】
前記不規則なざらざらの面の板材上に複数の貫通孔を設けることを特徴とする請求項２に記載のジオセルの立面構造。
【考案の詳細な説明】
【技術分野】
【０００１】
本考案は、地盤を強固にし、斜面を防護し、擁壁や植生・緑化工事に活用されるジオセルに関し、前記ジオセルは良好な縦方向に積層された強固性を有し、スリップし難く、効果的にジオセルの接着力を高めことができる立面構造に関する。
【背景技術】
【０００２】
一般的なジオセルは、プラスチック製板材を相互に積層して、超音波で局部を溶接して蜂の巣状に形成するが、前記蜂の巣状のジオセルは引っ張って開くと蜂の巣構造が形成され、蜂の巣構造内には土砂等の埋め戻し材料を詰め込んで、施工場所で活用できる。
一般に「従来例１」を図５で示すように、前記ジオセル（３）のプラスチック製板材はすべすべした平坦な板（３１）であり、埋め戻し材料を蜂の巣状のジオセル穴部（３２）内に詰め込むと、埋め戻し材料とすべすべした平坦な板（３１）であるプラスチック製板材との間の沈下力が両者間の摩擦力より大きいため、摩擦接合度が小さく、埋め戻し材料〔土砂〕が流失し易い。
【０００３】
さらに、図６に示す「従来例２」のように、前記ジオセル（４）のプラスチック製板材が成形されると、ローレットでダイヤモンド状の溝（４１）の表面〔溝を押出すことができる深さは０．３ｍｍを超えない〕を作り出し、「従来例１」に比べて良好な摩擦力があるものの、依然として埋め戻し材料の接着力がベストにならず、同様に充填物〔土砂〕が流失し易い。
【０００４】
特許文献１に記載のざらざらな面の型のジオセルは、考案者が既存の欠点に鑑みて改良を加えている。前記ざらざらな面の型のジオセルは主に複数の不規則なざらざらな面のある板材を超音波で局部をスポット溶接して、積層して伸長可能な蜂の巣状の構造体を形成し、蜂の巣状の構造体内に複数のインディビジュアルセルを形成し、インディビジュアルセル内は対応させて埋め戻し材料を埋め込むことができる。
こうして、ジオセルのインディビジュアルセル内に埋め戻し材料を埋設することによって、地盤を強固にし、斜面を防護し、擁壁や植生・緑化の工事に活用され、堅固な構造を強化できると共に、高度な支持力を有する。
【先行技術文献】
【特許文献】
【０００５】
【特許文献１】台湾実用新案出願公開第Ｍ２６８３７０号公報
【考案の概要】
【考案が解決しようとする課題】
【０００６】
然しながら、前述した従来の技術（特許文献１参照）は、堅固な構造体を強化でき、高度な支持力を有する効果があるものの、各ジオセルに対して縦方向に上下に積層する際、相互間に結合が強化できる構造が何等ないため、スリップし易くて倒れることがあり、工事の安全性に重大な影響を及ぼしていた。
【０００７】
そこで、本考案者は上記の欠点が改善可能と考え、鋭意検討を重ねた結果、合理的かつ効果的に課題を改善する本考案の提案に到った。
【０００８】
本考案は、このような従来の問題に鑑みてなされたものである。上記課題解決のため、本考案は、良好で強固な結合性を有するジオセルの立面構造を提供することを主目的とする。
【課題を解決するための手段】
【０００９】
上述した課題を解決し、目的を達成するために、本考案に係るジオセルの立面構造は、複数枚の板材を有し、各板材の間は局部を接合して相互に積層して伸長可能な蜂の巣状構造を形成するが、各板材の立面の上下端縁に凹凸状の係止端を備え、ジオセルを縦方向に積み上げると、互いに上下の凹凸を係止固定できることを特徴とする。
【００１０】
即ち、縦方向に積層した上下に隣接するジオセル間をスリップし難くして、好適な高さでの支持力を有し、各ジオセルを開いて形成された蜂の巣構造内に埋め戻し材料を埋設して、地盤の造成、斜面の防護、擁壁や植生・緑化工事に活用する。
【００１１】
この好ましい実施形態は、前記ジオセルの板材の立面は不規則なざらざらな面であることを特徴とする。
【００１２】
この好ましい実施形態では、不規則なざらざらな面の板材上に複数の貫通孔を設けることを特徴とする。
【考案の効果】
【００１３】
本考案によれば、立面の上下の縁の特殊な形状を設置することにより、各ジオセルを縦方向に上下に積層すると、容易にスリップしたり倒れたりすることがなく、良好で強固な結合性を有するジオセルの立面構造が得られる。
【図面の簡単な説明】
【００１４】
【図１】本考案の第１実施形態に係るジオセルの立面構造を示す傾斜の概略図である。
【図２】本考案のジオセルの立面構造を広げた際の傾斜の概略図である。
【図３】縦方向で本考案のジオセルの立面構造が積層された傾斜の概略図である。
【図４】本考案の他の実施形態に係るジオセルの立面構造の傾斜の概略図である。
【図５】従来のジオセルの立面構造の一つを示す傾斜の概略図である。
【図６】従来のジオセルの立面構造の一つを示す傾斜の概略図である。
【考案を実施するための形態】
【００１５】
以下に図面を参照して、本考案を実施するための形態について、詳細に説明する。なお、本考案は、以下に説明する実施形態に限定されるものではない。  
【００１６】
［第１実施形態］
以下、第１実施形態を図１〜２に基づいて説明する。本考案のジオセル（１）は主に複数片の板材を超音波で局部をスポット溶接して積層し、伸長可能な蜂の巣状の構造体を形成するが、前記蜂の巣状の構造体内に複数のインディビジュアルセル（１１）を形成し、インディビジュアルセル（１１）内は対応するように埋め戻し材料を埋め込む。
また、板材の立面を不規則のざらざらな面（１２）とし、板材の立面の上下の端縁には凹凸状の係止端（１３）を形成し、不規則なざらざらな面（１２）の板材上に複数の貫通孔（１４）を設ける。
【００１７】
図１から図３に示すような好適な実施の形態において、前記ジオセル（１）の板材立面の上下端縁に形成された凹凸状の係止端（１３）は三角形の鋸歯状であり、このようにして、前記ジオセル（１）を地盤の造成や擁壁に活用するのに前記ジオセル（１）を開き、インディビジュアルセル（１２）内に埋め戻し材料を詰め込んだ上で、これら一層ずつ縦方向に積層する。
このようにジオセル（１）自体の立面の上下端縁に設置された凹凸状の係止端（１３）が互いに縦方向に一層ずつ積層されると、上下に隣接するジオセル（１）間は、相互に凹凸状の係止端（１３）の凹凸が嵌設され係止されて、上下に積層されたジオセル（１）が強固に係止されて位置決めされ、容易にはスリップしたり、移動したりしない。また、ジオセル（１）の蜂の巣状の構造体が有する構造強度は、不規則なざらざらな面（１１）の板材と設計して、埋め戻し材料を強固に吸着させて、地盤を強化して構造を強固する効果を奏することができる。
【００１８】
［第２実施形態］
図４は本考案の第２実施形態に係るジオセルの立面構造の傾斜の概略図である。本実施形態と上述の実施形態との最大の相違点は主に、前記ジオセル（１）の板材の立面における上下端縁に形成された凹凸状の係止端（１３）は凹凸状の矩形の歯状である。
前記凹凸状の矩形の歯状も同様に、各ジオセル（１）が相互に縦方向に一層ずつ積層されると、上下に隣接するジオセル（１）の間は、互いの凹凸状の係止端（１３）の凹凸が嵌め込まれて係止されて、上下に積層するジオセル（１）間を相互に強固に係止して位置決めでき、容易にはスリップしたり、移動したりしない効果を奏することができることにある。
【００１９】
このようにして、ジオセル（１）を開いて、順次岩壁の斜面に排列して、上下のジオセル（１）を互いに凹凸状の係止端（１３）で相互に係止して位置決めし、インディビジュアルセル内に埋め戻し材料を詰め込むと共に、這い登ることができる緑化植物を栽培することで、ジオセル（１）自体の蜂の巣状の構造体が有する構造強度により斜面を保護して落石を防止できるだけでなく、同時に不規則なざらざらな面（１１）の板材を組み合わせて設計し、埋め戻し材料（２）をインディビジュアルセル（１２）内に強固に吸着させて流失させないようにした上で、これと共に植物をあちこちに這い登らせて、斜面を強化して保護する効果を奏することができる。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１    ジオセル
１１  インディビジュアルセル
１２  ざらざらな面
１３  凹凸状の係止端
１４  貫通孔
３    ジオセル
３１  平坦な板
３２  穴部
４    ジオセル
４１  ダイヤモンド状の溝
【図１】
0003190220.tif 000003
【図２】
0003190220.tif 000004
【図３】
0003190220.tif 000005
【図４】
0003190220.tif 000006
【図５】
0003190220.tif 000007
【図６】
0003190220.tif 000008
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
複数枚の板材を有し、各板材の間は局部を接合して相互に積層して伸長可能な蜂の巣状構造を形成し、各板材の立面の上下端縁に凹凸状の係止端を備え、ハニカム構造体を縦方向に積み上げると、互いに上下の凹凸を係止固定できることを特徴とするハニカム構造体の立面構造。
【請求項２】
前記ハニカム構造体の板材の立面は不規則なざらざらの面であることを特徴とする請求項１に記載のハニカム構造体の立面構造。
【請求項３】
前記不規則なざらざらの面の板材上に複数の貫通孔を設けることを特徴とする請求項２に記載のハニカム構造体の立面構造。
【手続補正２】
【補正対象書類名】明細書
【補正対象項目名】全文
【補正方法】変更
【補正の内容】
【考案の詳細な説明】
【技術分野】
【０００１】
本考案は、地盤を強固にし、斜面を防護し、擁壁や植生・緑化工事に活用されるハニカム構造体に関し、前記ハニカム構造体は良好な縦方向に積層された強固性を有し、スリップし難く、効果的にハニカム構造体の接着力を高めことができる立面構造に関する。
【背景技術】
【０００２】
一般的なハニカム構造体は、プラスチック製板材を相互に積層して、超音波で局部を溶接して蜂の巣状に形成するが、前記蜂の巣状のハニカム構造体は引っ張って開くと蜂の巣構造が形成され、蜂の巣構造内には土砂等の埋め戻し材料を詰め込んで、施工場所で活用できる。
一般に「従来例１」を図５で示すように、前記ハニカム構造体（３）のプラスチック製板材はすべすべした平坦な板（３１）であり、埋め戻し材料を蜂の巣状のハニカム構造体穴部（３２）内に詰め込むと、埋め戻し材料とすべすべした平坦な板（３１）であるプラスチック製板材との間の沈下力が両者間の摩擦力より大きいため、摩擦接合度が小さく、埋め戻し材料〔土砂〕が流失し易い。
【０００３】
さらに、図６に示す「従来例２」のように、前記ハニカム構造体（４）のプラスチック製板材が成形されると、ローレットでダイヤモンド状の溝（４１）の表面〔溝を押出すことができる深さは０．３ｍｍを超えない〕を作り出し、「従来例１」に比べて良好な摩擦力があるものの、依然として埋め戻し材料の接着力がベストにならず、同様に充填物〔土砂〕が流失し易い。
【０００４】
特許文献１に記載のざらざらな面の型のハニカム構造体は、考案者が既存の欠点に鑑みて改良を加えている。前記ざらざらな面の型のハニカム構造体は主に複数の不規則なざらざらな面のある板材を超音波で局部をスポット溶接して、積層して伸長可能な蜂の巣状の構造体を形成し、蜂の巣状の構造体内に複数のインディビジュアルセルを形成し、インディビジュアルセル内は対応させて埋め戻し材料を埋め込むことができる。
こうして、ハニカム構造体のインディビジュアルセル内に埋め戻し材料を埋設することによって、地盤を強固にし、斜面を防護し、擁壁や植生・緑化の工事に活用され、堅固な構造を強化できると共に、高度な支持力を有する。
【先行技術文献】
【特許文献】
【０００５】
【特許文献１】台湾実用新案出願公開第Ｍ２６８３７０号公報
【考案の概要】
【考案が解決しようとする課題】
【０００６】
然しながら、前述した従来の技術（特許文献１参照）は、堅固な構造体を強化でき、高度な支持力を有する効果があるものの、各ハニカム構造体に対して縦方向に上下に積層する際、相互間に結合が強化できる構造が何等ないため、スリップし易くて倒れることがあり、工事の安全性に重大な影響を及ぼしていた。
【０００７】
そこで、本考案者は上記の欠点が改善可能と考え、鋭意検討を重ねた結果、合理的かつ効果的に課題を改善する本考案の提案に到った。
【０００８】
本考案は、このような従来の問題に鑑みてなされたものである。上記課題解決のため、本考案は、良好で強固な結合性を有するハニカム構造体の立面構造を提供することを主目的とする。
【課題を解決するための手段】
【０００９】
上述した課題を解決し、目的を達成するために、本考案に係るハニカム構造体の立面構造は、複数枚の板材を有し、各板材の間は局部を接合して相互に積層して伸長可能な蜂の巣状構造を形成するが、各板材の立面の上下端縁に凹凸状の係止端を備え、ハニカム構造体を縦方向に積み上げると、互いに上下の凹凸を係止固定できることを特徴とする。
【００１０】
即ち、縦方向に積層した上下に隣接するハニカム構造体間をスリップし難くして、好適な高さでの支持力を有し、各ハニカム構造体を開いて形成された蜂の巣構造内に埋め戻し材料を埋設して、地盤の造成、斜面の防護、擁壁や植生・緑化工事に活用する。
【００１１】
この好ましい実施形態は、前記ハニカム構造体の板材の立面は不規則なざらざらな面であることを特徴とする。
【００１２】
この好ましい実施形態では、不規則なざらざらな面の板材上に複数の貫通孔を設けることを特徴とする。
【考案の効果】
【００１３】
本考案によれば、立面の上下の縁の特殊な形状を設置することにより、各ハニカム構造体を縦方向に上下に積層すると、容易にスリップしたり倒れたりすることがなく、良好で強固な結合性を有するハニカム構造体の立面構造が得られる。
【図面の簡単な説明】
【００１４】
【図１】本考案の第１実施形態に係るハニカム構造体の立面構造を示す傾斜の概略図である。
【図２】本考案のハニカム構造体の立面構造を広げた際の傾斜の概略図である。
【図３】縦方向で本考案のハニカム構造体の立面構造が積層された傾斜の概略図である。
【図４】本考案の他の実施形態に係るハニカム構造体の立面構造の傾斜の概略図である。
【図５】従来のハニカム構造体の立面構造の一つを示す傾斜の概略図である。
【図６】従来のハニカム構造体の立面構造の一つを示す傾斜の概略図である。
【考案を実施するための形態】
【００１５】
以下に図面を参照して、本考案を実施するための形態について、詳細に説明する。なお、本考案は、以下に説明する実施形態に限定されるものではない。  
【００１６】
［第１実施形態］
以下、第１実施形態を図１〜２に基づいて説明する。本考案のハニカム構造体（１）は主に複数片の板材を超音波で局部をスポット溶接して積層し、伸長可能な蜂の巣状の構造体を形成するが、前記蜂の巣状の構造体内に複数のインディビジュアルセル（１１）を形成し、インディビジュアルセル（１１）内は対応するように埋め戻し材料を埋め込む。
また、板材の立面を不規則のざらざらな面（１２）とし、板材の立面の上下の端縁には凹凸状の係止端（１３）を形成し、不規則なざらざらな面（１２）の板材上に複数の貫通孔（１４）を設ける。
【００１７】
図１から図３に示すような好適な実施の形態において、前記ハニカム構造体（１）の板材立面の上下端縁に形成された凹凸状の係止端（１３）は三角形の鋸歯状であり、このようにして、前記ハニカム構造体（１）を地盤の造成や擁壁に活用するのに前記ハニカム構造体（１）を開き、インディビジュアルセル（１２）内に埋め戻し材料を詰め込んだ上で、これら一層ずつ縦方向に積層する。
このようにハニカム構造体（１）自体の立面の上下端縁に設置された凹凸状の係止端（１３）が互いに縦方向に一層ずつ積層されると、上下に隣接するハニカム構造体（１）間は、相互に凹凸状の係止端（１３）の凹凸が嵌設され係止されて、上下に積層されたハニカム構造体（１）が強固に係止されて位置決めされ、容易にはスリップしたり、移動したりしない。また、ハニカム構造体（１）の蜂の巣状の構造体が有する構造強度は、不規則なざらざらな面（１１）の板材と設計して、埋め戻し材料を強固に吸着させて、地盤を強化して構造を強固する効果を奏することができる。
【００１８】
［第２実施形態］
図４は本考案の第２実施形態に係るハニカム構造体の立面構造の傾斜の概略図である。本実施形態と上述の実施形態との最大の相違点は主に、前記ハニカム構造体（１）の板材の立面における上下端縁に形成された凹凸状の係止端（１３）は凹凸状の矩形の歯状である。
前記凹凸状の矩形の歯状も同様に、各ハニカム構造体（１）が相互に縦方向に一層ずつ積層されると、上下に隣接するハニカム構造体（１）の間は、互いの凹凸状の係止端（１３）の凹凸が嵌め込まれて係止されて、上下に積層するハニカム構造体（１）間を相互に強固に係止して位置決めでき、容易にはスリップしたり、移動したりしない効果を奏することができることにある。
【００１９】
このようにして、ハニカム構造体（１）を開いて、順次岩壁の斜面に排列して、上下のハニカム構造体（１）を互いに凹凸状の係止端（１３）で相互に係止して位置決めし、インディビジュアルセル内に埋め戻し材料を詰め込むと共に、這い登ることができる緑化植物を栽培することで、ハニカム構造体（１）自体の蜂の巣状の構造体が有する構造強度により斜面を保護して落石を防止できるだけでなく、同時に不規則なざらざらな面（１１）の板材を組み合わせて設計し、埋め戻し材料（２）をインディビジュアルセル（１２）内に強固に吸着させて流失させないようにした上で、これと共に植物をあちこちに這い登らせて、斜面を強化して保護する効果を奏することができる。
【００２０】
以上、本考案の実施形態について図面を参照して詳述したが、具体的な構成はこの実施形態に限られるものではなく、本考案の要旨を逸脱しない範囲の設計変更等も含まれる。
【符号の説明】
【００２１】
１    ハニカム構造体
１１  インディビジュアルセル
１２  ざらざらな面
１３  凹凸状の係止端
１４  貫通孔
３    ハニカム構造体
３１  平坦な板
３２  穴部
４    ハニカム構造体
４１  ダイヤモンド状の溝